(57)【要約】【課題】摩擦制動機構の温度上昇を従来よりも抑制できる連動ブレーキ制御が可能なモータサイクルの制御装置を得る。【解決手段】本発明に係るモータサイクルの制御装置は、フロントブレーキ操作部が操作された際に前輪及び後輪にブレーキ力を発生させる第１連動ブレーキ制御時、後輪摩擦制動機構の温度が第１規定温度よりも低い状態では第１モードＡを選択し、前記第１規定温度よりも高い状態では第２モードＢを選択するモード選択部を備え、前記フロントブレーキ操作部への入力量が同じ条件において、前記第１モードＡ及び前記第２モードＢで前記後輪に発生するブレーキ力を比較した場合、少なくとも前記フロントブレーキ操作部への入力量が第１規定量よりも小さい状態では、前記第２モードＢで前記後輪４に発生するブレーキ力は、前記第１モードＡで前記後輪に発生するブレーキ力よりも小さい。【選択図】図４
2019098903.tif 000002
【特許請求の範囲】
【請求項１】
前輪（３）に対するブレーキ力の発生を要求するフロントブレーキ操作部（１１）が操作された際、前記前輪（３）にブレーキ力を発生させると共に、後輪（４）に対するブレーキ力の発生を要求するリアブレーキ操作部（１３）が操作されていなくとも、前記後輪（４）にブレーキ力を発生させる第１連動ブレーキ制御を行うモータサイクルの制御装置（６０）であって、
前記第１連動ブレーキ制御時、前記後輪（４）の摩擦制動機構（２９）である後輪摩擦制動機構の温度が第１規定温度よりも低い状態においては第１モード（Ａ）を選択し、前記後輪摩擦制動機構の温度が前記第１規定温度よりも高い状態においては第２モード（Ｂ）を選択するモード選択部（６２）を備え、
前記フロントブレーキ操作部（１１）への入力量が同じ条件において、前記第１モード（Ａ）で前記後輪（４）に発生するブレーキ力と、前記第２モード（Ｂ）で前記後輪（４）に発生するブレーキ力とを比較した場合、
少なくとも前記フロントブレーキ操作部（１１）への入力量が第１規定量（Ｐ１）よりも小さい状態においては、前記第２モード（Ｂ）で前記後輪（４）に発生するブレーキ力は、前記第１モード（Ａ）で前記後輪（４）に発生するブレーキ力よりも小さい
モータサイクル（１００）の制御装置（６０）。
【請求項２】
前記フロントブレーキ操作部（１１）への入力量が同じ条件における、前記第２モード（Ｂ）で前記後輪（４）に発生するブレーキ力に対する前記第１モード（Ａ）で前記後輪（４）に発生するブレーキ力の比を、第１比率と定義した場合、
前記フロントブレーキ操作部（１１）への入力量が前記第１規定量（Ｐ１）よりも大きい状態における前記第１比率は、前記フロントブレーキ操作部（１１）への入力量が前記第１規定量（Ｐ１）よりも小さい状態における前記第１比率よりも小さい
請求項１に記載のモータサイクル（１００）の制御装置（６０）。
【請求項３】
前記制御装置（６０）は、前記リアブレーキ操作部（１３）が操作された際、前記後輪（４）にブレーキ力を発生させると共に、前記フロントブレーキ操作部（１１）が操作されていなくとも、前記前輪（３）にブレーキ力を発生させる第２連動ブレーキ制御を行う構成である
請求項１又は請求項２に記載のモータサイクル（１００）の制御装置（６０）。
【請求項４】
前記モード選択部（６２）は、前記第２連動ブレーキ制御時、前記後輪摩擦制動機構の温度が第２規定温度よりも低い状態においては第３モード（Ｃ）を選択し、前記後輪摩擦制動機構の温度が前記第２規定温度よりも高い状態においては第４モード（Ｄ）を選択する構成であり、
前記リアブレーキ操作部（１３）への入力量が同じ条件において、前記第３モード（Ｃ）で前記後輪（４）に発生するブレーキ力と、前記第４モード（Ｄ）で前記後輪（４）に発生するブレーキ力とを比較した場合、
少なくとも前記リアブレーキ操作部（１３）への入力量が第２規定量（Ｐ２）よりも小さい状態においては、前記第４モード（Ｄ）で前記後輪（４）に発生するブレーキ力は、前記第３モード（Ｃ）で前記後輪（４）に発生するブレーキ力よりも小さい
請求項３に記載のモータサイクル（１００）の制御装置（６０）。
【請求項５】
前記リアブレーキ操作部（１３）への入力量が同じ条件における、前記第４モード（Ｄ）で前記後輪（４）に発生するブレーキ力に対する前記第３モード（Ｃ）で前記後輪（４）に発生するブレーキ力の比を、第２比率と定義した場合、
前記リアブレーキ操作部（１３）への入力量が前記第２規定量（Ｐ２）よりも大きい状態における前記第２比率は、前記リアブレーキ操作部（１３）への入力量が前記第２規定量（Ｐ２）よりも小さい状態における前記第２比率よりも小さい
請求項４に記載のモータサイクル（１００）の制御装置（６０）。
【請求項６】
更に、
前記リアブレーキ操作部（１３）への入力量が同じ条件において、前記第３モード（Ｃ）で前記前輪（３）に発生するブレーキ力と、前記第４モード（Ｄ）で前記前輪（３）に発生するブレーキ力とを比較した場合、
少なくとも前記リアブレーキ操作部（１３）への入力量が前記第２規定量（Ｐ２）よりも小さい状態においては、前記第４モード（Ｄ）で前記前輪（３）に発生するブレーキ力は、前記第３モード（Ｃ）で前記前輪（３）に発生するブレーキ力よりも大きい
請求項４又は請求項５に記載のモータサイクル（１００）の制御装置（６０）。
【請求項７】
前記モード選択部（６２）は、前記第２連動ブレーキ制御時、前記前輪（３）の摩擦制動機構（２９）である前輪摩擦制動機構の温度が第３規定温度よりも低い状態においては第５モード（Ｅ）を選択し、前記前輪摩擦制動機構の温度が前記第３規定温度よりも高い状態においては第６モード（Ｆ）を選択する構成であり、
前記リアブレーキ操作部（１３）への入力量が同じ条件において、前記第５モード（Ｅ）で前記前輪（３）に発生するブレーキ力と、前記第６モード（Ｆ）で前記前輪（３）に発生するブレーキ力とを比較した場合、
少なくとも前記リアブレーキ操作部（１３）への入力量が第３規定量（Ｐ３）よりも小さい状態においては、前記第６モード（Ｆ）で前記前輪（３）に発生するブレーキ力は、前記第５モード（Ｅ）で前記前輪（３）に発生するブレーキ力よりも小さい
請求項３〜請求項６の何れか一項に記載のモータサイクル（１００）の制御装置（６０）。
【請求項８】
前記リアブレーキ操作部（１３）への入力量が同じ条件における、前記第６モード（Ｆ）で前記前輪（３）に発生するブレーキ力に対する前記第５モード（Ｅ）で前記前輪（３）に発生するブレーキ力の比を、第３比率と定義した場合、
前記リアブレーキ操作部（１３）への入力量が前記第３規定量（Ｐ３）よりも大きい状態における前記第３比率は、前記リアブレーキ操作部（１３）への入力量が前記第３規定量（Ｐ３）よりも小さい状態における前記第３比率よりも小さい
請求項７に記載のモータサイクル（１００）の制御装置（６０）。
【請求項９】
前輪（３）に対するブレーキ力の発生を要求するフロントブレーキ操作部（１１）が操作された際、前記前輪（３）にブレーキ力を発生させると共に、後輪（４）に対するブレーキ力の発生を要求するリアブレーキ操作部（１３）が操作されていなくとも、前記後輪（４）にブレーキ力を発生させる連動ブレーキ制御を行うモータサイクルの制御方法であって、
前記連動ブレーキ制御時、前記後輪（４）の摩擦制動機構（２９）である後輪摩擦制動機構の温度が規定温度よりも低い状態においては第１モード（Ａ）を選択し、前記後輪摩擦制動機構の温度が前記規定温度よりも高い状態においては第２モード（Ｂ）を選択するモード選択ステップ（Ｓ２，Ｓ３，Ｓ４）と、
前記モード選択ステップで選択されたモードに基づいて、前記前輪に発生するブレーキ力及び前記後輪に発生するブレーキ力を制御する制御ステップ（Ｓ７，Ｓ８）と、
を備え、
前記フロントブレーキ操作部（１１）への入力量が同じ条件において、前記第１モード（Ａ）で前記後輪（４）に発生するブレーキ力と、前記第２モード（Ｂ）で前記後輪（４）に発生するブレーキ力とを比較した場合、
少なくとも前記フロントブレーキ操作部（１１）への入力量が規定量（Ｐ１）よりも小さい状態においては、前記第２モード（Ｂ）で前記後輪（４）に発生するブレーキ力は、前記第１モード（Ａ）で前記後輪（４）に発生するブレーキ力よりも小さい
モータサイクル（１００）の制御方法。
【発明の詳細な説明】
【技術分野】
【０００１】
本発明は、連動ブレーキ制御を行うモータサイクルの制御装置、及び連動ブレーキ制御を行うモータサイクルの制御方法に関する。
【背景技術】
【０００２】
従来、連動ブレーキ制御を行うモータサイクル（つまり、自動二輪車、又は、２つの前輪と１つの後輪を備えている自動三輪車）が提案されている（例えば、特許文献１参照）。連動ブレーキ制御とは、例えば、フロントブレーキ操作部が操作された際、前輪にブレーキ力を発生させると共に、リアブレーキ操作部が操作されていなくとも、後輪にブレーキ力を発生させる制御である。従来の連動ブレーキ制御では、後輪に、フロントブレーキ操作部への入力量に応じたブレーキ力を生じさせることが可能である。
【先行技術文献】
【特許文献】
【０００３】
【特許文献１】特開２０００−７１９６３号公報
【発明の概要】
【発明が解決しようとする課題】
【０００４】
モータサイクルでは、後輪が車幅方向の中央に設けられる構造であること等に起因して、後輪の摩擦制動機構の放熱性が低くなる傾向がある。後輪の摩擦制動機構は、前輪の摩擦制動機構に比べ、走行中に風に当たりづらいからである。ここで、従来の連動ブレーキ制御では、常に、前輪及び後輪の双方にブレーキ力が発生する。このため、後輪の摩擦制動機構が温度上昇しやすい。そして、摩擦制動機構の過度な温度上昇は、摩擦制動機構の故障の要因の一つとなる。したがって、従来の連動ブレーキ制御では、後輪の摩擦制動機構を保護する観点から、後輪の摩擦制動機構の温度上昇の抑制が要望されているという課題があった。
【０００５】
本発明は、上述の課題を背景としてなされたものであり、後輪の摩擦制動機構の温度上昇を従来よりも抑制できる連動ブレーキ制御を行うことが可能なモータサイクルの制御装置、及びモータサイクルの制御方法を得るものである。
【課題を解決するための手段】
【０００６】
本発明に係るモータサイクルの制御装置は、前輪に対するブレーキ力の発生を要求するフロントブレーキ操作部が操作された際、前記前輪にブレーキ力を発生させると共に、後輪に対するブレーキ力の発生を要求するリアブレーキ操作部が操作されていなくとも、前記後輪にブレーキ力を発生させる第１連動ブレーキ制御を行うモータサイクルの制御装置であって、前記第１連動ブレーキ制御時、前記後輪の摩擦制動機構である後輪摩擦制動機構の温度が第１規定温度よりも低い状態においては第１モードを選択し、前記後輪摩擦制動機構の温度が前記第１規定温度よりも高い状態においては第２モードを選択するモード選択部を備え、前記フロントブレーキ操作部への入力量が同じ条件において、前記第１モードで前記後輪に発生するブレーキ力と、前記第２モードで前記後輪に発生するブレーキ力とを比較した場合、少なくとも前記フロントブレーキ操作部への入力量が第１規定量よりも小さい状態においては、前記第２モードで前記後輪に発生するブレーキ力は、前記第１モードで前記後輪に発生するブレーキ力よりも小さい構成となっている。
【０００７】
また、本発明に係るモータサイクルの制御方法は、前輪に対するブレーキ力の発生を要求するフロントブレーキ操作部が操作された際、前記前輪にブレーキ力を発生させると共に、後輪に対するブレーキ力の発生を要求するリアブレーキ操作部が操作されていなくとも、前記後輪にブレーキ力を発生させる連動ブレーキ制御を行うモータサイクルの制御方法であって、前記連動ブレーキ制御時、前記後輪の摩擦制動機構である後輪摩擦制動機構の温度が規定温度よりも低い状態においては第１モードを選択し、前記後輪摩擦制動機構の温度が前記規定温度よりも高い状態においては第２モードを選択するモード選択ステップと、前記モード選択ステップで選択されたモードに基づいて、前記前輪に発生するブレーキ力及び前記後輪に発生するブレーキ力を制御する制御ステップと、を備え、前記フロントブレーキ操作部への入力量が同じ条件において、前記第１モードで前記後輪に発生するブレーキ力と、前記第２モードで前記後輪に発生するブレーキ力とを比較した場合、少なくとも前記フロントブレーキ操作部への入力量が規定量よりも小さい状態においては、前記第２モードで前記後輪に発生するブレーキ力は、前記第１モードで前記後輪に発生するブレーキ力よりも小さくなっている。
【発明の効果】
【０００８】
本発明は、フロントブレーキ操作部の操作に伴って後輪にもブレーキ力を発生させる連動ブレーキ制御時、後輪摩擦制動機構の温度が規定温度よりも高い状態になった際に後輪に発生するブレーキ力を低減させることにより、後輪の摩擦制動機構の温度上昇を抑制することができる。したがって、本発明は、後輪の摩擦制動機構の温度上昇を従来よりも抑制できる連動ブレーキ制御を行うことができる。
【図面の簡単な説明】
【０００９】
【図１】本発明の実施の形態に係る制御装置が搭載されるモータサイクルの構成を示す図である。
【図２】本発明の実施の形態に係る制御装置が搭載されるモータサイクルのブレーキシステムの構成を示す図である。
【図３】本発明の実施の形態に係る制御装置が搭載されるモータサイクルの主要部のシステム構成を示す図である。
【図４】本発明の実施の形態に係る制御装置のモード選択部が第１連動ブレーキ制御時に選択する第１モード及び第２モードにおける、後輪に発生するブレーキ力の一例を示す説明図である。
【図５】本発明の実施の形態に係る制御装置のモード選択部が第１連動ブレーキ制御時に選択する第１モード及び第２モードにおける、後輪に発生するブレーキ力の別の一例を示す説明図である。
【図６】本発明の実施の形態に係る制御装置のモード選択部が第２連動ブレーキ制御時に選択する第３モード及び第４モードにおける、後輪に発生するブレーキ力の一例を示す説明図である。
【図７】本発明の実施の形態に係る制御装置のモード選択部が第２連動ブレーキ制御時に選択する第３モード及び第４モードにおける、後輪に発生するブレーキ力の別の一例を示す説明図である。
【図８】本発明の実施の形態に係る制御装置のモード選択部が第２連動ブレーキ制御時に選択する第３モード及び第４モードにおける、前輪に発生するブレーキ力の一例を示す説明図である。
【図９】本発明の実施の形態に係る制御装置のモード選択部が第２連動ブレーキ制御時に選択する第３モード及び第４モードにおける、前輪に発生するブレーキ力の別の一例を示す説明図である。
【図１０】本発明の実施の形態に係る制御装置のモード選択部が第２連動ブレーキ制御時に選択する第５モード及び第６モードにおける、前輪に発生するブレーキ力の一例を示す説明図である。
【図１１】本発明の実施の形態に係る制御装置のモード選択部が第２連動ブレーキ制御時に選択する第５モード及び第６モードにおける、前輪に発生するブレーキ力の別の一例を示す説明図である。
【図１２】本発明の実施の形態に係る制御装置の第１連動ブレーキ制御時の動作を示すフローチャートである。
【図１３】本発明の実施の形態に係る制御装置の第２連動ブレーキ制御時の動作を示すフローチャートである。
【発明を実施するための形態】
【００１０】
以下、本発明に係る制御装置及び制御方法の一例について、図面を用いて説明する。なお、以下の実施の形態で説明する構成及び動作はあくまでも一例である。本発明は、以下の実施の形態で説明する構成及び動作に限定されない。例えば、以下では、ブレーキシステムが、３つのホイールシリンダを有している場合を説明しているが、他の数のホイールシリンダを有していてもよい。
【００１１】
また、各図において、同一の又は類似する部材又は部分については、符号を付すことを省略するか、又は、同一の符号を付している。また、細かい構造については、適宜図示を簡略化又は省略している。また、以下の図では、描画が省略されている構成要素を指し示す場合、破線の引き出し線を用いて指し示すこととする。
【００１２】
実施の形態．
以下に、実施の形態に係る制御装置、及び該制御装置が搭載されるモータサイクルの一例について説明する。
【００１３】
＜制御装置、及び該制御装置が搭載されるモータサイクルの概略構成＞
図１は、本発明の実施の形態に係る制御装置が搭載されるモータサイクルの構成を示す図である。図２は、本発明の実施の形態に係る制御装置が搭載されるモータサイクルのブレーキシステムの構成を示す図である。図３は、本発明の実施の形態に係る制御装置が搭載されるモータサイクルの主要部のシステム構成を示す図である。なお、図２では、前輪３の両側面が並べて図示されている。
【００１４】
図１及び図２に示されるように、ブレーキシステム１０は、モータサイクル（つまり、自動二輪車、又は、２つの前輪と１つの後輪を備えている自動三輪車）１００に搭載される。モータサイクル１００は、胴体１と、胴体１に旋回自在に保持されているハンドル２と、胴体１にハンドル２と共に旋回自在に保持されている前輪３と、胴体１に回動自在に保持されている後輪４と、を含む。
【００１５】
ブレーキシステム１０は、フロントブレーキ操作部１１と、少なくともフロントブレーキ操作部１１に連動して前輪３を制動する前輪制動機構１２と、リアブレーキ操作部１３と、少なくともリアブレーキ操作部１３に連動して後輪４を制動する後輪制動機構１４と、を含む。
【００１６】
フロントブレーキ操作部１１は、ハンドル２に設けられており、使用者の手によって操作される。フロントブレーキ操作部１１は、例えば、ブレーキレバーである。リアブレーキ操作部１３は、胴体１の下部に設けられており、使用者の足によって操作される。リアブレーキ操作部１３は、例えば、ブレーキペダルである。
【００１７】
前輪制動機構１２及び後輪制動機構１４のそれぞれは、ピストン（図示省略）を内蔵しているマスタシリンダ２１と、マスタシリンダ２１に付設されているリザーバ２２と、胴体１に保持され、ブレーキパッド２５が設けられているブレーキキャリパ２３と、ブレーキキャリパ２３に設けられているホイールシリンダ２４と、マスタシリンダ２１のブレーキ液をホイールシリンダ２４に流通させる主流路２６と、ホイールシリンダ２４のブレーキ液を逃がす副流路２７と、マスタシリンダ２１のブレーキ液を副流路２７に供給する供給流路２８と、を含む。
【００１８】
主流路２６には、込め弁（ＥＶ）３１が設けられている。副流路２７は、主流路２６のうちの、込め弁３１に対するホイールシリンダ２４側とマスタシリンダ２１側との間を、バイパスする。副流路２７には、上流側から順に、弛め弁（ＡＶ）３２と、アキュムレータ３３と、ポンプ３４とが、設けられている。主流路２６のうちの、マスタシリンダ２１側の端部と、副流路２７の下流側端部が接続される箇所と、の間には、第１弁（ＵＳＶ）３５が設けられている。供給流路２８は、マスタシリンダ２１と、副流路２７のうちのポンプ３４の吸込側と、の間を連通させる。供給流路２８には、第２弁（ＨＳＶ）３６が設けられている。
【００１９】
込め弁３１は、例えば、非通電状態で開き、通電状態で閉じる電磁弁である。弛め弁３２は、例えば、非通電状態で閉じ、通電状態で開く電磁弁である。第１弁３５は、例えば、非通電状態で開き、通電状態で閉じる電磁弁である。第２弁３６は、例えば、非通電状態で閉じ、通電状態で開く電磁弁である。
【００２０】
込め弁３１、弛め弁３２、アキュムレータ３３、ポンプ３４、第１弁３５、第２弁３６等の部材と、それらの部材が設けられ、主流路２６、副流路２７及び供給流路２８を構成するための流路が内部に形成されている基体５１と、制御装置（ＥＣＵ）６０と、によって、液圧制御ユニット５０が構成される。液圧制御ユニット５０は、ブレーキシステム１０において、ホイールシリンダ２４のブレーキ液の液圧、つまり、前輪制動機構１２に生じさせる前輪３のブレーキ力、及び、後輪制動機構１４に生じさせる後輪４のブレーキ力を制御する機能を担うユニットである。
【００２１】
各部材が、１つの基体５１に纏めて設けられていてもよく、また、複数の基体５１に分かれて設けられていてもよい。また、制御装置６０は、１つであってもよく、また、複数に分かれていてもよい。また、制御装置６０は、基体５１に取り付けられていてもよく、また、基体５１以外の他の部材に取り付けられていてもよい。また、制御装置６０の一部又は全ては、例えば、マイコン、マイクロプロセッサユニット等で構成されてもよく、また、ファームウェア等の更新可能なもので構成されてもよく、また、ＣＰＵ等からの指令によって実行されるプログラムモジュール等であってもよい。
【００２２】
制御装置６０は、通常ブレーキ制御時、込め弁３１、弛め弁３２、第１弁３５及び第２弁３６を以下のように制御する。通常ブレーキ制御とは、前輪３に対するブレーキ力の発生を要求するフロントブレーキ操作部１１が操作された際、前輪３のみにブレーキ力を発生させる制御である。また、通常ブレーキ制御とは、後輪４に対するブレーキ力の発生を要求するリアブレーキ操作部１３が操作された際、後輪４のみにブレーキ力を発生させる制御である。
【００２３】
詳しくは、通常ブレーキ制御時、制御装置６０によって、込め弁３１が開放され、弛め弁３２が閉鎖され、第１弁３５が開放され、第２弁３６が閉鎖される。その状態で、フロントブレーキ操作部１１が操作されると、前輪制動機構１２において、マスタシリンダ２１のピストン（図示省略）が押し込まれてホイールシリンダ２４のブレーキ液の液圧が増加し、ブレーキキャリパ２３に設けられているブレーキパッド２５が前輪３のロータ３ａに押し付けられる。これにより、前輪３にブレーキ力が発生し、前輪３が制動される。また、リアブレーキ操作部１３が操作されると、後輪制動機構１４において、マスタシリンダ２１のピストン（図示省略）が押し込まれてホイールシリンダ２４のブレーキ液の液圧が増加し、ブレーキキャリパ２３に設けられているブレーキパッド２５が後輪４のロータ４ａに押し付けられる。これにより、後輪４にブレーキ力が発生し、後輪４が制動される。
【００２４】
すなわち、本実施の形態に係るブレーキシステム１０において、車輪を制動するための摩擦力を発生する機構である摩擦制動機構２９は、車輪に設けられたロータ、ロータに押し付けられるブレーキパッド２５、及びブレーキパッド２５が設けられたブレーキキャリパ２３等で構成されている。換言すると、本実施の形態に係る摩擦制動機構２９は、ロータ、ブレーキパッド２５及びブレーキキャリパ２３を備えている。詳しくは、前輪３を制動するための摩擦力を発生する摩擦制動機構２９は、前輪３のロータ３ａ、前輪制動機構１２のブレーキパッド２５、及び前輪制動機構１２のブレーキキャリパ２３を備えている。また、後輪４を制動するための摩擦力を発生する摩擦制動機構２９は、後輪４のロータ４ａ、後輪制動機構１４のブレーキパッド２５、及び後輪制動機構１４のブレーキキャリパ２３を備えている。以下では、前輪３を制動するための摩擦力を発生する摩擦制動機構２９を、前輪３の摩擦制動機構２９と称することとする。また、後輪４を制動するための摩擦力を発生する摩擦制動機構２９を、後輪４の摩擦制動機構２９と称することとする。
【００２５】
なお、本実施の形態に係るブレーキシステム１０では、ディスクブレーキ式の摩擦制動機構２９となっている。しかしながら、摩擦制動機構２９は、ディスクブレーキ式に限定されない。例えば、摩擦制動機構２９がドラムブレーキ式の場合、摩擦制動機構２９は、車輪に設けられたブレーキドラム、及びブレーキドラムに押し付けられるブレーキシュー等で構成される。
【００２６】
また、制御装置６０は、連動ブレーキ制御も行う。連動ブレーキ制御とは、フロントブレーキ操作部１１が操作された際、前輪３にブレーキ力を発生させると共に、リアブレーキ操作部１３が操作されていなくとも、後輪４にブレーキ力を発生させる制御である。以下、当該連動ブレーキ制御を第１連動ブレーキ制御と称する。また、連動ブレーキ制御とは、リアブレーキ操作部１３が操作された際、後輪４にブレーキ力を発生させると共に、フロントブレーキ操作部１１が操作されていなくとも、前輪３にブレーキ力を発生させる制御である。以下、当該連動ブレーキ制御を第２連動ブレーキ制御と称する。
【００２７】
例えば、制御装置６０は、連動ブレーキ制御時、込め弁３１、弛め弁３２、第１弁３５、第２弁３６及びポンプ３４を以下のように制御する。第１連動ブレーキ制御時、前輪制動機構１２において、込め弁３１が開放され、弛め弁３２が閉鎖され、第１弁３５が開放され、第２弁３６が閉鎖される。そして、第１連動ブレーキ制御時、後輪制動機構１４において、込め弁３１が開放され、弛め弁３２が閉鎖され、第１弁３５が閉鎖され、第２弁３６が開放された状態で、ポンプ３４が駆動される。また、第２連動ブレーキ制御時、後輪制動機構１４において、込め弁３１が開放され、弛め弁３２が閉鎖され、第１弁３５が開放され、第２弁３６が閉鎖される。そして、第２連動ブレーキ制御時、前輪制動機構１２において、込め弁３１が開放され、弛め弁３２が閉鎖され、第１弁３５が閉鎖され、第２弁３６が開放された状態で、ポンプ３４が駆動される。
【００２８】
図２及び図３に示されるように、ブレーキシステム１０は、マスタシリンダ圧センサ４１と、ホイールシリンダ圧センサ４２と、前輪回転速度センサ４３と、後輪回転速度センサ４４と、を含む。
【００２９】
マスタシリンダ圧センサ４１は、マスタシリンダ２１のブレーキ液の液圧を検出する。マスタシリンダ圧センサ４１が、マスタシリンダ２１のブレーキ液の液圧に実質的に換算可能な他の物理量を検出するものであってもよい。マスタシリンダ圧センサ４１は、前輪制動機構１２及び後輪制動機構１４のそれぞれに設けられている。
【００３０】
ホイールシリンダ圧センサ４２は、ホイールシリンダ２４のブレーキ液の液圧を検出する。ホイールシリンダ圧センサ４２が、ホイールシリンダ２４のブレーキ液の液圧に実質的に換算可能な他の物理量を検出するものであってもよい。ホイールシリンダ圧センサ４２は、前輪制動機構１２及び後輪制動機構１４のそれぞれに設けられている。
【００３１】
前輪回転速度センサ４３は、前輪３の回転速度を検出する。前輪回転速度センサ４３が、前輪３の回転速度に実質的に換算可能な他の物理量を検出するものであってもよい。後輪回転速度センサ４４は、後輪４の回転速度を検出する。後輪回転速度センサ４４が、後輪４の回転速度に実質的に換算可能な他の物理量を検出するものであってもよい。
【００３２】
制御装置６０は、温度取得部６１と、モード選択部６２と、制御部６３と、を含む。制御装置６０には、マスタシリンダ圧センサ４１、ホイールシリンダ圧センサ４２、前輪回転速度センサ４３、後輪回転速度センサ４４等の各種センサの検出結果が入力される。
【００３３】
温度取得部６１は、前輪３の摩擦制動機構２９の温度、及び後輪４の摩擦制動機構２９の温度を取得する機能部である。本実施の形態においては、温度取得部６１は、前輪３の摩擦制動機構２９の温度として、前輪制動機構１２のブレーキキャリパ２３に設けられているブレーキパッド２５の温度を取得している。また、本実施の形態においては、温度取得部６１は、後輪４の摩擦制動機構２９の温度として、後輪制動機構１４のブレーキキャリパ２３に設けられているブレーキパッド２５の温度を取得している。なお、以下では、前輪制動機構１２のブレーキキャリパ２３に設けられているブレーキパッド２５を、前輪３のブレーキパッド２５と称することとする。また、後輪制動機構１４のブレーキキャリパ２３に設けられているブレーキパッド２５を、後輪４のブレーキパッド２５と称することとする。
【００３４】
詳しくは、温度取得部６１は、前輪制動機構１２のホイールシリンダ圧センサ４２の検出値と、前輪回転速度センサ４３の検出値とを用いて、前輪３のブレーキパッド２５の温度を算出している。また、温度取得部６１は、後輪制動機構１４のホイールシリンダ圧センサ４２の検出値と、後輪回転速度センサ４４の検出値とを用いて、後輪４のブレーキパッド２５の温度を算出している。ホイールシリンダのブレーキ液の液圧と車輪回転速度とに基づいて、該車輪のブレーキパッドの温度を算出する手法は、例えば自動四輪車の分野等でも用いられているように、公知の手法である。このため、本実施の形態では、前輪３のブレーキパッド２５の温度の具体的な算出方法の説明、及び後輪４のブレーキパッド２５の温度の具体的な算出方法の説明は、省略する。
【００３５】
なお、前輪３のブレーキパッド２５の温度を取得する手法は任意である。例えば、前輪３のブレーキパッド２５に温度センサを取り付け、前輪３のブレーキパッド２５の温度を直接検出してもよい。また例えば、前輪３のブレーキパッド２５の近傍に設けられて前輪３のブレーキパッド２５の温度の影響を受ける部品に温度センサを取り付け、該温度センサの検出値から前輪３のブレーキパッド２５の温度を算出してもよい。また例えば、前輪３の圧力に基づいて、前輪３のブレーキパッド２５の温度を算出してもよい。詳しくは、前輪３にブレーキ力が発生し、前輪３が制動される場合、前輪３のブレーキパッド２５の温度が上昇すると共に、前輪３と路面との摩擦により、前輪３の温度も上昇する。そして、前輪３の温度上昇に伴って、前輪３内の空気が膨張し、前輪３の圧力も上昇する。このため、前輪３の圧力に基づいて、前輪３のブレーキパッド２５の温度を算出することも可能である。また例えば、単位時間当たりの前輪３のブレーキ使用回数に基づいて、前輪３のブレーキパッド２５の温度を算出してもよい。単位時間当たりの前輪３のブレーキ使用回数と、前輪３のブレーキパッド２５の温度とには、相対関係を見いだすことができる。このため、単位時間当たりの前輪３のブレーキ使用回数に基づいて、前輪３のブレーキパッド２５の温度を算出することも可能である。
【００３６】
また、前輪３の摩擦制動機構２９の温度は、前輪３のブレーキパッド２５の温度に限定されない。例えば、前輪３の摩擦制動機構２９を構成するブレーキパッド２５以外の構成の温度を、前輪３の摩擦制動機構２９の温度として取得してもよい。前輪３の摩擦制動機構２９を構成するブレーキパッド２５以外の構成とは、例えば、前輪制動機構１２のブレーキキャリパ２３等である。この際、これらの構成の温度を取得する手法は任意である。
【００３７】
同様に、後輪４のブレーキパッド２５の温度を取得する手法も任意である。例えば、後輪４のブレーキパッド２５に温度センサを取り付け、後輪４のブレーキパッド２５の温度を直接検出してもよい。また例えば、後輪４のブレーキパッド２５の近傍に設けられて後輪４のブレーキパッド２５の温度の影響を受ける部品に温度センサを取り付け、該温度センサの検出値から後輪４のブレーキパッド２５の温度を算出してもよい。また例えば、後輪４の圧力に基づいて、後輪４のブレーキパッド２５の温度を算出してもよい。また例えば、単位時間当たりの後輪４のブレーキ使用回数に基づいて、後輪４のブレーキパッド２５の温度を算出してもよい。また、後輪４の摩擦制動機構２９の温度として、後輪４の摩擦制動機構２９を構成するブレーキパッド２５以外の構成の温度を取得してもよい。後輪４の摩擦制動機構２９を構成するブレーキパッド２５以外の構成とは、例えば、後輪制動機構１４のブレーキキャリパ２３等である。この際、これらの構成の温度を取得する手法は任意である。
【００３８】
モード選択部６２は、ブレーキの制御モードを、通常ブレーキ制御モード及び連動ブレーキ制御モードから選択するものである。通常ブレーキ制御モードは、通常ブレーキ制御を行う制御モードである。連動ブレーキ制御モードは、連動ブレーキ制御を行う制御モードである。モード選択部６２は、例えば、スイッチによって入力されたライダーの要求等に基づいて、ブレーキの制御モードを、通常ブレーキ制御モード及び連動ブレーキ制御モードから選択する。
【００３９】
制御部６３は、フロントブレーキ操作部１１及びリアブレーキ操作部１３のうちの少なくとも一方が操作された際、モード選択部６２で選択されている制御モードに応じて、込め弁３１、弛め弁３２、第１弁３５、第２弁３６及びポンプ３４を制御する。
【００４０】
ここで、従来の連動ブレーキ制御では、常に、前輪及び後輪の双方にブレーキ力が発生する。このため、従来の連動ブレーキ制御は、摩擦制動機構が温度上昇しやすい。そして、摩擦制動機構の過度な温度上昇は、摩擦制動機構の故障の要因の一つとなる。特に、一般的に、モータサイクルは、前輪の摩擦制動機構に比べ、後輪の摩擦制動機構の方が温度上昇しやすい。後輪の摩擦制動機構は、前輪の摩擦制動機構に比べ、走行中に風に当たりづらいからである。このため、従来の連動ブレーキ制御は、特に、後輪の摩擦制動機構が温度上昇しやすい。したがって、従来の連動ブレーキ制御では、後輪の摩擦制動機構を保護する観点から、後輪の摩擦制動機構の温度上昇の抑制が要望されている。
【００４１】
そこで、本実施の形態に係るモータサイクル１００の制御装置６０のモード選択部６２は、第１連動ブレーキ制御時、後輪４の摩擦制動機構２９の温度上昇を従来よりも抑制するため、第１モードＡ又は第２モードＢを選択する構成となっている。
【００４２】
図４は、本発明の実施の形態に係る制御装置のモード選択部が第１連動ブレーキ制御時に選択する第１モード及び第２モードにおける、後輪に発生するブレーキ力の一例を示す説明図である。なお、図４の横軸に示すＦＭＰは、Ｆｒｏｎｔ  Ｍａｓｔｅｒ  Ｐｒｅｓｓｕｒｅの略であり、前輪制動機構１２のマスタシリンダ圧センサ４１が検出するマスタシリンダ２１のブレーキ液の液圧である。すなわち、図４の横軸は、ライダーのフロントブレーキ操作部１１への入力量を示している。また、図４の縦軸に示すＲＷＰは、Ｒｅａｒ  Ｗｈｅｅｌ  Ｐｒｅｓｓｕｒｅの略であり、後輪制動機構１４のホイールシリンダ圧センサ４２が検出するホイールシリンダ２４のブレーキ液の液圧である。すなわち、図４の縦軸は、後輪４に発生するブレーキ力を示している。また、図４に示す破線が第１モードＡを示しており、図４に示す実線が第２モードＢを示している。
【００４３】
詳しくは、モード選択部６２は、第１連動ブレーキ制御時、後輪４の摩擦制動機構２９の温度が第１規定温度よりも低い状態においては、第１モードＡを選択する。また、モード選択部６２は、第１連動ブレーキ制御時、後輪４の摩擦制動機構２９の温度が第１規定温度よりも高い状態においては、第２モードＢを選択する。そして、フロントブレーキ操作部１１への入力量が同じ条件において、第１モードＡで後輪４に発生するブレーキ力と、第２モードＢで後輪４に発生するブレーキ力とを比較した場合、第２モードＢで後輪４に発生するブレーキ力は、第１モードＡで後輪４に発生するブレーキ力よりも小さい。なお、第１連動ブレーキ制御時に後輪４に発生させるブレーキ力の大きさは、例えば、後輪制動機構１４のポンプ３４の駆動源（モータ等）の回転数、後輪制動機構１４の込め弁３１の開度、及び後輪制動機構１４の込め弁３１の開放時間のうちの少なくとも１つを制御することにより、調整することができる。
【００４４】
第１連動ブレーキ制御時、モード選択部６２が上述のように第１モードＡ又は第２モードＢを選択することにより、後輪４の摩擦制動機構２９の温度が第１規定温度よりも高い状態になった際に、後輪４に発生するブレーキ力を低減させることができる。すなわち、第２モードＢを選択することにより、後輪４の摩擦制動機構２９の温度上昇を抑制することができる。このため、第１連動ブレーキ制御時、モード選択部６２が上述のように第１モードＡ又は第２モードＢを選択することにより、後輪４の摩擦制動機構２９の温度上昇を従来よりも抑制することができる。したがって、第１連動ブレーキ制御時、モード選択部６２が上述のように第１モードＡ又は第２モードＢを選択することにより、後輪４の摩擦制動機構２９を従来よりも保護できる連動ブレーキ制御を行うことができる。
【００４５】
なお、図４では、第２モードＢ時、後輪４にブレーキ力が発生しない構成となっている。しかしながら、図４に示す第２モードＢは、あくまでも一例である。例えば、第２モードＢ時、後輪４にブレーキ力が発生していてもよい。すなわち、フロントブレーキ操作部１１への入力量が同じ条件において、第１モードＡで後輪４に発生するブレーキ力と、第２モードＢで後輪４に発生するブレーキ力とを比較した場合、第２モードＢで後輪４に発生するブレーキ力が、第１モードＡで後輪４に発生するブレーキ力よりも小さければよい。また例えば、第２モードＢを以下のように構成してもよい。
【００４６】
図５は、本発明の実施の形態に係る制御装置のモード選択部が第１連動ブレーキ制御時に選択する第１モード及び第２モードにおける、後輪に発生するブレーキ力の別の一例を示す説明図である。なお、図５の横軸及び縦軸は、図４と同様である。また、フロントブレーキ操作部１１への入力量を示す前輪制動機構１２のマスタシリンダ圧センサ４１の検出圧力Ｐ１が、本発明の第１規定量に相当する。
【００４７】
フロントブレーキ操作部１１への入力量が同じ条件における、第２モードＢで後輪４に発生するブレーキ力に対する第１モードＡで後輪４に発生するブレーキ力の比を、第１比率と定義する。例えば、フロントブレーキ操作部１１へのある入力量を、前輪制動機構１２のマスタシリンダ圧センサ４１の検出圧力Ｐとする。そして、第２モードＢにおいてフロントブレーキ操作部１１への入力量がＰのとき、後輪制動機構１４のホイールシリンダ圧センサ４２が検出するホイールシリンダ２４のブレーキ液の液圧がＰＢであるとする。また、第１モードＡにおいてフロントブレーキ操作部１１への入力量がＰのとき、後輪制動機構１４のホイールシリンダ圧センサ４２が検出するホイールシリンダ２４のブレーキ液の液圧がＰＡであるとする。この場合、フロントブレーキ操作部１１への入力量がＰのときの第１比率は、ＰＡをＰＢで除した値となる。すなわち、フロントブレーキ操作部１１への入力量がＰのときの第１比率は、ＰＡ／ＰＢとなる。つまり、第１比率が小さいほど、第２モードＢにおいて、後輪４に発生するブレーキ力の第１モードＡに対する低減量が小さくなる。
【００４８】
上述のように第１比率を定義した場合、前輪制動機構１２のマスタシリンダ圧センサ４１の検出圧力がＰ１よりも大きい状態における第１比率は、前輪制動機構１２のマスタシリンダ圧センサ４１の検出圧力がＰ１よりも小さい状態における第１比率よりも小さくなっている。すなわち、図５に示す第２モードＢにおいては、前輪制動機構１２のマスタシリンダ圧センサ４１の検出圧力がＰ１よりも大きい状態になると、前輪制動機構１２のマスタシリンダ圧センサ４１の検出圧力がＰ１よりも小さい状態と比べ、後輪４に大きなブレーキ力が発生することとなる。
【００４９】
モータサイクル１００を急停止させたい場合、ライダーのフロントブレーキ操作部１１への入力量が大きくなる。第２モードＢを図５のように構成することにより、モータサイクル１００を急停止させたい場合、後輪４の摩擦制動機構２９の温度上昇を抑制する第２モードＢにおいても、後輪４に十分なブレーキ力を発生させることができ、モータサイクル１００の安全性が向上する。また、第２モードＢを図５のように構成することにより、少なくとも前輪制動機構１２のマスタシリンダ圧センサ４１の検出圧力がＰ１よりも小さい状態においては、後輪４の摩擦制動機構２９を従来よりも保護できる連動ブレーキ制御を行うことができる。
【００５０】
なお、図５に示す第２モードＢでは、前輪制動機構１２のマスタシリンダ圧センサ４１の検出圧力がＰ１よりも大きい状態になっている際、後輪４に発生するブレーキ力が、第１モードＡにおいて後輪４に発生するブレーキ力と同じになっている。しかしながら、これはあくまでも一例である。前輪制動機構１２のマスタシリンダ圧センサ４１の検出圧力がＰ１よりも大きい状態になっている際、第２モードＢにおいて後輪４に発生するブレーキ力が、第１モードＡにおいて後輪４に発生するブレーキ力よりも小さくなっていてもよい。
【００５１】
また、制御装置６０のモード選択部６２は、第２連動ブレーキ制御時においても後輪４の摩擦制動機構２９の温度上昇を従来よりも抑制するため、第２連動ブレーキ制御時に第３モードＣ又は第４モードＤを選択する構成となっている。
【００５２】
図６は、本発明の実施の形態に係る制御装置のモード選択部が第２連動ブレーキ制御時に選択する第３モード及び第４モードにおける、後輪に発生するブレーキ力の一例を示す説明図である。なお、図６の横軸に示すＲＭＰは、Ｒｅａｒ  Ｍａｓｔｅｒ  Ｐｒｅｓｓｕｒｅの略であり、後輪制動機構１４のマスタシリンダ圧センサ４１が検出するマスタシリンダ２１のブレーキ液の液圧である。すなわち、図６の横軸は、ライダーのリアブレーキ操作部１３への入力量を示している。また、図６の縦軸に示すＲＷＰは、図４と同様に、後輪制動機構１４のホイールシリンダ圧センサ４２が検出するホイールシリンダ２４のブレーキ液の液圧である。すなわち、図６の縦軸は、後輪４に発生するブレーキ力を示している。また、図６に示す破線が第３モードＣを示しており、図６に示す実線が第４モードＤを示している。
【００５３】
詳しくは、モード選択部６２は、第２連動ブレーキ制御時、後輪４の摩擦制動機構２９の温度が第２規定温度よりも低い状態においては、第３モードＣを選択する。また、モード選択部６２は、第２連動ブレーキ制御時、後輪４の摩擦制動機構２９の温度が第２規定温度よりも高い状態においては、第４モードＤを選択する。そして、リアブレーキ操作部１３への入力量が同じ条件において、第３モードＣで後輪４に発生するブレーキ力と、第４モードＤで後輪４に発生するブレーキ力とを比較した場合、第４モードＤで後輪４に発生するブレーキ力は、第３モードＣで後輪４に発生するブレーキ力よりも小さい。なお、第２連動ブレーキ制御時に後輪４に発生させるブレーキ力の大きさは、例えば、後輪制動機構１４の込め弁３１の開度、及び後輪制動機構１４の込め弁３１の開放時間のうちの少なくとも１つを制御することにより、調整することができる。
【００５４】
第２連動ブレーキ制御時、モード選択部６２が上述のように第３モードＣ又は第４モードＤを選択することにより、後輪４の摩擦制動機構２９の温度が第２規定温度よりも高い状態になった際に、後輪４に発生するブレーキ力を低減させることができる。すなわち、第４モードＤを選択することにより、後輪４の摩擦制動機構２９の温度上昇を抑制することができる。このため、第２連動ブレーキ制御時、モード選択部６２が上述のように第３モードＣ又は第４モードＤを選択することにより、後輪４の摩擦制動機構２９の温度上昇を従来よりも抑制することができる。したがって、第２連動ブレーキ制御時、モード選択部６２が上述のように第３モードＣ又は第４モードＤを選択することにより、後輪４の摩擦制動機構２９を従来よりも保護できる連動ブレーキ制御を行うことができる。
【００５５】
なお、モータサイクル１００を急停止させたい条件において、後輪４の摩擦制動機構２９の温度上昇の抑制よりも後輪４の制動力を優先させる場合、第４モードＤを以下のように構成してもよい。
【００５６】
図７は、本発明の実施の形態に係る制御装置のモード選択部が第２連動ブレーキ制御時に選択する第３モード及び第４モードにおける、後輪に発生するブレーキ力の別の一例を示す説明図である。なお、図７の横軸及び縦軸は、図６と同様である。また、リアブレーキ操作部１３への入力量を示す後輪制動機構１４のマスタシリンダ圧センサ４１の検出圧力Ｐ２が、本発明の第２規定量に相当する。
【００５７】
リアブレーキ操作部１３への入力量が同じ条件における、第４モードＤで後輪４に発生するブレーキ力に対する第３モードＣで後輪４に発生するブレーキ力の比を、第２比率と定義する。例えば、リアブレーキ操作部１３へのある入力量を、後輪制動機構１４のマスタシリンダ圧センサ４１の検出圧力Ｐとする。そして、第４モードＤにおいてリアブレーキ操作部１３への入力量がＰのとき、後輪制動機構１４のホイールシリンダ圧センサ４２が検出するホイールシリンダ２４のブレーキ液の液圧がＰＤであるとする。また、第３モードＣにおいてリアブレーキ操作部１３への入力量がＰのとき、後輪制動機構１４のホイールシリンダ圧センサ４２が検出するホイールシリンダ２４のブレーキ液の液圧がＰＣであるとする。この場合、リアブレーキ操作部１３への入力量がＰのときの第２比率は、ＰＣをＰＤで除した値となる。すなわち、リアブレーキ操作部１３への入力量がＰのときの第２比率は、ＰＣ／ＰＤとなる。つまり、第２比率が小さいほど、第４モードＤにおいて、後輪４に発生するブレーキ力の第３モードＣに対する低減量が小さくなる。
【００５８】
上述のように第２比率を定義した場合、後輪制動機構１４のマスタシリンダ圧センサ４１の検出圧力がＰ２よりも大きい状態における第２比率は、後輪制動機構１４のマスタシリンダ圧センサ４１の検出圧力がＰ２よりも小さい状態における第２比率よりも小さくなっている。すなわち、図７に示す第４モードＤにおいては、後輪制動機構１４のマスタシリンダ圧センサ４１の検出圧力がＰ２よりも大きい状態になると、後輪制動機構１４のマスタシリンダ圧センサ４１の検出圧力がＰ２よりも小さい状態と比べ、後輪４に大きなブレーキ力が発生することとなる。
【００５９】
モータサイクル１００を急停止させたい場合、ライダーのリアブレーキ操作部１３への入力量が大きくなる。第４モードＤを図７のように構成することにより、モータサイクル１００を急停止させたい場合、後輪４の摩擦制動機構２９の温度上昇を抑制する第４モードＤにおいても、後輪４に十分なブレーキ力を発生させることができ、モータサイクル１００の安全性が向上する。また、第４モードＤを図７のように構成することにより、少なくとも後輪制動機構１４のマスタシリンダ圧センサ４１の検出圧力がＰ２よりも小さい状態においては、後輪４の摩擦制動機構２９を従来よりも保護できる連動ブレーキ制御を行うことができる。
【００６０】
なお、図７に示す第４モードＤでは、後輪制動機構１４のマスタシリンダ圧センサ４１の検出圧力がＰ２よりも大きい状態になっている際、後輪４に発生するブレーキ力が、第３モードＣにおいて後輪４に発生するブレーキ力と同じになっている。しかしながら、これはあくまでも一例である。後輪制動機構１４のマスタシリンダ圧センサ４１の検出圧力がＰ２よりも大きい状態になっている際、第４モードＤにおいて後輪４に発生するブレーキ力が、第３モードＣにおいて後輪４に発生するブレーキ力よりも小さくなっていてもよい。
【００６１】
ここで、第４モードＤでは、第３モードＣに比べて、後輪４の制動力が低下する。このため、第２連動ブレーキ制御時に第３モードＣ又は第４モードＤを選択する場合、前輪３に発生するブレーキ力を以下のように制御してもよい。
【００６２】
図８は、本発明の実施の形態に係る制御装置のモード選択部が第２連動ブレーキ制御時に選択する第３モード及び第４モードにおける、前輪に発生するブレーキ力の一例を示す説明図である。なお、図８の横軸に示すＲＭＰは、図６と同様であり、後輪制動機構１４のマスタシリンダ圧センサ４１が検出するマスタシリンダ２１のブレーキ液の液圧である。すなわち、図８の横軸は、ライダーのリアブレーキ操作部１３への入力量を示している。また、図８の縦軸に示すＦＷＰは、Ｆｒｏｎｔ  Ｗｈｅｅｌ  Ｐｒｅｓｓｕｒｅの略であり、前輪制動機構１２のホイールシリンダ圧センサ４２が検出するホイールシリンダ２４のブレーキ液の液圧である。すなわち、図８の縦軸は、前輪３に発生するブレーキ力を示している。また、図８に示す破線が第３モードＣを示しており、図８に示す実線が第４モードＤを示している。
【００６３】
詳しくは、リアブレーキ操作部１３への入力量が同じ条件において、第３モードＣで前輪３に発生するブレーキ力と、第４モードＤで前輪３に発生するブレーキ力とを比較した場合、第４モードＤで前輪３に発生するブレーキ力を、第３モードＣで前輪３に発生するブレーキ力よりも大きくしてもよい。
【００６４】
このように前輪３に発生するブレーキ力を制御することにより、前輪３の制動力と後輪４の制動力の和であるモータサイクル１００全体の制動力を、第３モードＣと第４モードＤとで例えば略同様にすることができる。このため、このように前輪３に発生するブレーキ力を制御することにより、第４モードＤにおいて、モータサイクル１００の制動距離が第３モードＣよりも長くなってしまうことを抑制できる。なお、第２連動ブレーキ制御時に前輪３に発生させるブレーキ力の大きさは、例えば、前輪制動機構１２のポンプ３４の駆動源（モータ等）の回転数、前輪制動機構１２の込め弁３１の開度、及び前輪制動機構１２の込め弁３１の開放時間のうちの少なくとも１つを制御することにより、調整することができる。
【００６５】
なお、第３モードＣ及び第４モードＤにおいて前輪３に発生するブレーキ力を次のように制御してもよい。
【００６６】
図９は、本発明の実施の形態に係る制御装置のモード選択部が第２連動ブレーキ制御時に選択する第３モード及び第４モードにおける、前輪に発生するブレーキ力の別の一例を示す説明図である。なお、図９の横軸及び縦軸は、図８と同様である。
【００６７】
リアブレーキ操作部１３への入力量が同じ条件における、第３モードＣで前輪３に発生するブレーキ力に対する第４モードＤで前輪３に発生するブレーキ力の比を、前輪比率と定義する。例えば、リアブレーキ操作部１３へのある入力量を、後輪制動機構１４のマスタシリンダ圧センサ４１の検出圧力Ｐとする。そして、第４モードＤにおいてリアブレーキ操作部１３への入力量がＰのとき、前輪制動機構１２のホイールシリンダ圧センサ４２が検出するホイールシリンダ２４のブレーキ液の液圧がＰＤであるとする。また、第３モードＣにおいてリアブレーキ操作部１３への入力量がＰのとき、前輪制動機構１２のホイールシリンダ圧センサ４２が検出するホイールシリンダ２４のブレーキ液の液圧がＰＣであるとする。この場合、リアブレーキ操作部１３への入力量がＰのときの前輪比率は、ＰＤをＰＣで除した値となる。すなわち、リアブレーキ操作部１３への入力量がＰのときの前輪比率は、ＰＤ／ＰＣとなる。つまり、前輪比率が小さいほど、第３モードＣにおいて、前輪３に発生するブレーキ力の第４モードＤに対する低減量が小さくなる。
【００６８】
上述のように前輪比率を定義した場合、後輪制動機構１４のマスタシリンダ圧センサ４１の検出圧力がＰ２よりも大きい状態における前輪比率は、後輪制動機構１４のマスタシリンダ圧センサ４１の検出圧力がＰ２よりも小さい状態における前輪比率よりも小さくなっている。すなわち、図９に示す第３モードＣにおいては、後輪制動機構１４のマスタシリンダ圧センサ４１の検出圧力がＰ２よりも大きい状態になると、後輪制動機構１４のマスタシリンダ圧センサ４１の検出圧力がＰ２よりも小さい状態と比べ、前輪３に大きなブレーキ力が発生することとなる。
【００６９】
第３モードＣを図９のように構成することにより、モータサイクル１００を急停止させたい状態においてモータサイクル１００の制動力を向上させることができ、モータサイクル１００の安全性が向上する。
【００７０】
なお、図９に示す第３モードＣでは、後輪制動機構１４のマスタシリンダ圧センサ４１の検出圧力がＰ２よりも大きい状態になっている際、前輪３に発生するブレーキ力が、第４モードＤにおいて前輪３に発生するブレーキ力と同じになっている。しかしながら、これはあくまでも一例である。後輪制動機構１４のマスタシリンダ圧センサ４１の検出圧力がＰ２よりも大きい状態になっている際、第３モードＣにおいて前輪３に発生するブレーキ力が、第４モードＤにおいて前輪３に発生するブレーキ力よりも小さくなっていてもよい。
【００７１】
ところで、上述のように、従来の連動ブレーキ制御では、常に、前輪及び後輪の双方にブレーキ力が発生する。このため、従来の連動ブレーキ制御では、前輪の摩擦制動機構２９も温度上昇しやすい。そこで、本実施の形態に係るモータサイクル１００の制御装置６０のモード選択部６２は、第２連動ブレーキ制御時、前輪３の摩擦制動機構２９の温度上昇を従来よりも抑制するため、第５モードＥ又は第６モードＦを選択する構成となっている。
【００７２】
図１０は、本発明の実施の形態に係る制御装置のモード選択部が第２連動ブレーキ制御時に選択する第５モード及び第６モードにおける、前輪に発生するブレーキ力の一例を示す説明図である。なお、図１０の横軸に示すＲＭＰは、図６と同様に、後輪制動機構１４のマスタシリンダ圧センサ４１が検出するマスタシリンダ２１のブレーキ液の液圧である。すなわち、図１０の横軸は、ライダーのリアブレーキ操作部１３への入力量を示している。また、図１０の縦軸に示すＦＷＰは、図８と同様に、前輪制動機構１２のホイールシリンダ圧センサ４２が検出するホイールシリンダ２４のブレーキ液の液圧である。すなわち、図１０の縦軸は、前輪３に発生するブレーキ力を示している。また、図１０に示す破線が第５モードＥを示しており、図１０に示す実線が第６モードＦを示している。
【００７３】
詳しくは、モード選択部６２は、第２連動ブレーキ制御時、前輪３の摩擦制動機構２９の温度が第３規定温度よりも低い状態においては、第５モードＥを選択する。また、モード選択部６２は、第２連動ブレーキ制御時、前輪３の摩擦制動機構２９の温度が第３規定温度よりも高い状態においては、第６モードＦを選択する。そして、リアブレーキ操作部１３への入力量が同じ条件において、第５モードＥで前輪３に発生するブレーキ力と、第６モードＦで前輪３に発生するブレーキ力とを比較した場合、第６モードＦで前輪３に発生するブレーキ力は、第５モードＥで前輪３に発生するブレーキ力よりも小さい。
【００７４】
第２連動ブレーキ制御時、モード選択部６２が上述のように第５モードＥ又は第６モードＦを選択することにより、前輪３の摩擦制動機構２９の温度が第３規定温度よりも高い状態になった際に、前輪３に発生するブレーキ力を低減させることができる。すなわち、第６モードＦを選択することにより、前輪３の摩擦制動機構２９の温度上昇を抑制することができる。このため、第２連動ブレーキ制御時、モード選択部６２が上述のように第５モードＥ又は第６モードＦを選択することにより、前輪３の摩擦制動機構２９の温度上昇を従来よりも抑制することができる。したがって、第２連動ブレーキ制御時、モード選択部６２が上述のように第５モードＥ又は第６モードＦを選択することにより、前輪３の摩擦制動機構２９を従来よりも保護できる連動ブレーキ制御を行うことができる。
【００７５】
なお、図１０では、第６モードＦ時、前輪３にブレーキ力が発生しない構成となっている。しかしながら、図１０に示す第６モードＦは、あくまでも一例である。例えば、第６モードＦ時、前輪３にブレーキ力が発生していてもよい。すなわち、リアブレーキ操作部１３への入力量が同じ条件において、第５モードＥで前輪３に発生するブレーキ力と、第６モードＦで前輪３に発生するブレーキ力とを比較した場合、第６モードＦで前輪３に発生するブレーキ力が、第５モードＥで前輪３に発生するブレーキ力よりも小さければよい。また例えば、第６モードＦを以下のように構成してもよい。
【００７６】
図１１は、本発明の実施の形態に係る制御装置のモード選択部が第２連動ブレーキ制御時に選択する第５モード及び第６モードにおける、前輪に発生するブレーキ力の別の一例を示す説明図である。なお、図１１の横軸及び縦軸は、図１０と同様である。また、リアブレーキ操作部１３への入力量を示す後輪制動機構１４のマスタシリンダ圧センサ４１の検出圧力Ｐ３が、本発明の第３規定量に相当する。
【００７７】
リアブレーキ操作部１３への入力量が同じ条件における、第６モードＦで前輪３に発生するブレーキ力に対する第５モードＥで前輪３に発生するブレーキ力の比を、第３比率と定義する。例えば、リアブレーキ操作部１３へのある入力量を、後輪制動機構１４のマスタシリンダ圧センサ４１の検出圧力Ｐとする。そして、第６モードＦにおいてリアブレーキ操作部１３への入力量がＰのとき、前輪制動機構１２のホイールシリンダ圧センサ４２が検出するホイールシリンダ２４のブレーキ液の液圧がＰＦであるとする。また、第５モードＥにおいてリアブレーキ操作部１３への入力量がＰのとき、前輪制動機構１２のホイールシリンダ圧センサ４２が検出するホイールシリンダ２４のブレーキ液の液圧がＰＥであるとする。この場合、リアブレーキ操作部１３への入力量がＰのときの第３比率は、ＰＥをＰＦで除した値となる。すなわち、リアブレーキ操作部１３への入力量がＰのときの第３比率は、ＰＥ／ＰＦとなる。つまり、第３比率が小さいほど、第６モードＦにおいて、前輪３に発生するブレーキ力の第５モードＥに対する低減量が小さくなる。
【００７８】
上述のように第３比率を定義した場合、後輪制動機構１４のマスタシリンダ圧センサ４１の検出圧力がＰ３よりも大きい状態における第３比率は、後輪制動機構１４のマスタシリンダ圧センサ４１の検出圧力がＰ３よりも小さい状態における第３比率よりも小さくなっている。すなわち、図１１に示す第６モードＦにおいては、後輪制動機構１４のマスタシリンダ圧センサ４１の検出圧力がＰ３よりも大きい状態になると、後輪制動機構１４のマスタシリンダ圧センサ４１の検出圧力がＰ３よりも小さい状態と比べ、前輪３に大きなブレーキ力が発生することとなる。
【００７９】
モータサイクル１００を急停止させたい場合、ライダーのリアブレーキ操作部１３への入力量が大きくなる。第６モードＦを図１１のように構成することにより、モータサイクル１００を急停止させたい場合、前輪３の摩擦制動機構２９の温度上昇を抑制する第６モードＦにおいても、前輪３に十分なブレーキ力を発生させることができ、モータサイクル１００の安全性が向上する。また、第６モードＦを図１１のように構成することにより、少なくとも後輪制動機構１４のマスタシリンダ圧センサ４１の検出圧力がＰ３よりも小さい状態においては、前輪３の摩擦制動機構２９を従来よりも保護できる連動ブレーキ制御を行うことができる。
【００８０】
なお、図１１に示す第６モードＦでは、後輪制動機構１４のマスタシリンダ圧センサ４１の検出圧力がＰ３よりも大きい状態になっている際、前輪３に発生するブレーキ力が、第５モードＥにおいて前輪３に発生するブレーキ力と同じになっている。しかしながら、これはあくまでも一例である。後輪制動機構１４のマスタシリンダ圧センサ４１の検出圧力がＰ３よりも大きい状態になっている際、第６モードＦにおいて前輪３に発生するブレーキ力が、第５モードＥにおいて前輪３に発生するブレーキ力よりも小さくなっていてもよい。
【００８１】
＜制御装置の動作＞
続いて、連動ブレーキ制御時の制御装置６０の動作について説明する。なお、以下では、まず、第１連動ブレーキ制御時の制御装置６０の動作について説明する。そして、その後に、第２連動ブレーキ制御時の制御装置６０の動作について説明する。
【００８２】
図１２は、本発明の実施の形態に係る制御装置の第１連動ブレーキ制御時の動作を示すフローチャートである。
モード選択部６２で連動ブレーキ制御モードが選択されている状態において、ステップＳ１でフロントブレーキ操作部１１が操作されると、制御装置６０は、ステップＳ２に進む。
【００８３】
ステップＳ２、ステップＳ３及びステップＳ４は、第１モードＡ又は第２モードＢを選択するモード選択ステップである。モード選択ステップでは、後輪４の摩擦制動機構２９の温度が第１規定温度よりも低い状態においては第１モードＡを選択し、後輪４の摩擦制動機構２９の温度が第１規定温度よりも高い状態においては第２モードＢを選択する。具体的には、ステップＳ２においてモード選択部６２は、温度取得部６１が取得した後輪４の摩擦制動機構２９の温度と、第１規定温度とを比較する。そして、後輪４の摩擦制動機構２９の温度が第１規定温度よりも低い場合、モード選択部６２は、ステップＳ３に進んで第１モードＡを選択する。また、後輪４の摩擦制動機構２９の温度が第１規定温度よりも高い場合、モード選択部６２は、ステップＳ４に進んで第２モードＢを選択する。なお、後輪４の摩擦制動機構２９の温度が第１規定温度と同じ場合、ステップＳ３に進んでもよいし、ステップＳ４に進んでもよい。
【００８４】
ステップＳ２からステップＳ３に進んで第１モードＡが選択された場合、ステップＳ５へ進む。ステップＳ５において、モード選択部６２は、フロントブレーキ操作部１１への入力量から、第１モードＡにおいて当該入力量で発生する後輪４のブレーキ力を求める。また、モード選択部６２は、リアブレーキ操作部１３への入力量から、通常ブレーキ制御モードにおいて当該入力量で発生する後輪４のブレーキ力を求める。そして、モード選択部６２は、第１モードＡで発生する後輪４のブレーキ力と、通常ブレーキ制御モードで発生する後輪４のブレーキ力とを比較する。第１モードＡで発生する後輪４のブレーキ力が通常ブレーキ制御モードで発生する後輪４のブレーキ力以上の場合、モード選択部６２は、第１モードＡを選択したまま、ステップＳ７へ進む。これに対して、第１モードＡで発生する後輪４のブレーキ力が通常ブレーキ制御モードで発生する後輪４のブレーキ力よりも小さい場合、モード選択部６２は、ブレーキの制御モードを通常ブレーキ制御モードに変更し、ステップＳ９に進む。
【００８５】
ステップＳ７は、モード選択ステップで選択されたモードに基づいて、前輪３に発生するブレーキ力及び後輪４に発生するブレーキ力を制御する制御ステップである。すなわち、ステップＳ７は、第１モードＡに基づいて、前輪３に発生するブレーキ力及び後輪４に発生するブレーキ力を制御する制御ステップである。詳しくは、ステップＳ７では、制御部６３は、前輪３に発生するブレーキ力がフロントブレーキ操作部１１の入力量に応じたブレーキ力となるように、前輪制動機構１２の込め弁３１、弛め弁３２、第１弁３５、及び第２弁３６を制御する。また、制御部６３は、フロントブレーキ操作部１１の入力量に応じて、第１モードＡにおいて該入力量の際に後輪４に発生するブレーキ力となるように、後輪制動機構１４の込め弁３１、弛め弁３２、第１弁３５、第２弁３６及びポンプ３４を制御する。
【００８６】
ステップＳ７に対し、ステップＳ９では、通常ブレーキ制御モードで前輪３に発生するブレーキ力及び後輪４に発生するブレーキ力を制御する。詳しくは、制御部６３は、前輪３に発生するブレーキ力がフロントブレーキ操作部１１の入力量に応じたブレーキ力となるように、前輪制動機構１２の込め弁３１、弛め弁３２、第１弁３５、及び第２弁３６を制御する。また、制御部６３は、後輪４に発生するブレーキ力がリアブレーキ操作部１３の入力量に応じたブレーキ力となるように、後輪制動機構１４の込め弁３１、弛め弁３２、第１弁３５、及び第２弁３６を制御する。
【００８７】
一方、ステップＳ２からステップＳ４に進んで第２モードＢが選択された場合、モード選択部６２は、ステップＳ６へ進む。ステップＳ６において、モード選択部６２は、フロントブレーキ操作部１１への入力量から、第２モードＢにおいて当該入力量で発生する後輪４のブレーキ力を求める。また、モード選択部６２は、リアブレーキ操作部１３への入力量から、通常ブレーキ制御モードにおいて当該入力量で発生する後輪４のブレーキ力を求める。そして、モード選択部６２は、第２モードＢで発生する後輪４のブレーキ力と、通常ブレーキ制御モードで発生する後輪４のブレーキ力とを比較する。第２モードＢで発生する後輪４のブレーキ力が通常ブレーキ制御モードで発生する後輪４のブレーキ力以上の場合、モード選択部６２は、第２モードＢを選択したまま、ステップＳ８へ進む。一方、第２モードＢで発生する後輪４のブレーキ力が通常ブレーキ制御モードで発生する後輪４のブレーキ力よりも小さい場合、モード選択部６２は、ブレーキの制御モードを通常ブレーキ制御モードに変更し、ステップＳ９に進む。
【００８８】
ステップＳ８は、モード選択ステップで選択されたモードに基づいて、前輪３に発生するブレーキ力及び後輪４に発生するブレーキ力を制御する制御ステップである。すなわち、ステップＳ８は、第２モードＢに基づいて、前輪３に発生するブレーキ力及び後輪４に発生するブレーキ力を制御する制御ステップである。詳しくは、ステップＳ８では、制御部６３は、前輪３に発生するブレーキ力がフロントブレーキ操作部１１の入力量に応じたブレーキ力となるように、前輪制動機構１２の込め弁３１、弛め弁３２、第１弁３５、及び第２弁３６を制御する。また、制御部６３は、フロントブレーキ操作部１１の入力量に応じて、第２モードＢにおいて該入力量の際に後輪４に発生するブレーキ力となるように、後輪制動機構１４の込め弁３１、弛め弁３２、第１弁３５、第２弁３６及びポンプ３４を制御する。
【００８９】
ステップＳ７、ステップＳ８又はステップＳ９の後、制御装置６０は、ステップＳ１０に進む。そして、ステップＳ１０において制御装置６０は、フロントブレーキ操作部１１の操作が解除されているか否かを判定する。フロントブレーキ操作部１１の操作が解除されていない場合、つまりフロントブレーキ操作部１１が操作されたままの状態となっている場合、制御装置６０は、ステップＳ２に戻る。また、フロントブレーキ操作部１１の操作が解除されている場合、制御装置６０は、ステップＳ１１に進んで、前輪３及び後輪４にブレーキ力を発生させる制御を終了する。
【００９０】
図１３は、本発明の実施の形態に係る制御装置の第２連動ブレーキ制御時の動作を示すフローチャートである。
モード選択部６２で連動ブレーキ制御モードが選択されている状態において、ステップＳ２１でリアブレーキ操作部１３が操作されると、制御装置６０は、ステップＳ２２に進む。
【００９１】
ステップＳ２２、ステップＳ３１及びステップＳ４１は、第３モードＣ又は第４モードＤを選択するモード選択ステップである。これらのモード選択ステップでは、後輪４の摩擦制動機構２９の温度が第２規定温度よりも低い状態においては第３モードＣを選択し、後輪４の摩擦制動機構２９の温度が第２規定温度よりも高い状態においては第４モードＤを選択する。具体的には、ステップＳ２２においてモード選択部６２は、温度取得部６１が取得した後輪４の摩擦制動機構２９の温度と、第２規定温度とを比較する。そして、後輪４の摩擦制動機構２９の温度が第２規定温度よりも低い場合、モード選択部６２は、ステップＳ３１に進んで第３モードＣを選択する。また、後輪４の摩擦制動機構２９の温度が第２規定温度よりも高い場合、モード選択部６２は、ステップＳ４１に進んで第４モードＤを選択する。なお、後輪４の摩擦制動機構２９の温度が第２規定温度と同じ場合、ステップＳ３１に進んでもよいし、ステップＳ４１に進んでもよい。
【００９２】
ステップＳ３１で第３モードＣが選択された後のステップＳ３２、ステップＳ３３及びステップＳ３４は、第５モードＥ又は第６モードＦを選択するモード選択ステップである。これらのモード選択ステップでは、前輪３の摩擦制動機構２９の温度が第３規定温度よりも低い状態においては第５モードＥを選択し、前輪３の摩擦制動機構２９の温度が第３規定温度よりも高い状態においては第６モードＦを選択する。具体的には、ステップＳ３２においてモード選択部６２は、温度取得部６１が取得した前輪３の摩擦制動機構２９の温度と、第３規定温度とを比較する。そして、前輪３の摩擦制動機構２９の温度が第３規定温度よりも低い場合、モード選択部６２は、ステップＳ３３に進んで第５モードＥを選択する。また、前輪３の摩擦制動機構２９の温度が第３規定温度よりも高い場合、モード選択部６２は、ステップＳ３４に進んで第６モードＦを選択する。なお、前輪３の摩擦制動機構２９の温度が第３規定温度と同じ場合、ステップＳ３３に進んでもよいし、ステップＳ３４に進んでもよい。
【００９３】
ステップＳ３２からステップＳ３３に進んで第５モードＥが選択された場合、モード選択部６２は、ステップＳ３５へ進む。ステップＳ３５において、モード選択部６２は、リアブレーキ操作部１３への入力量から、第５モードＥにおいて当該入力量で発生する前輪３のブレーキ力を求める。また、モード選択部６２は、フロントブレーキ操作部１１への入力量から、通常ブレーキ制御モードにおいて当該入力量で発生する前輪３のブレーキ力を求める。そして、モード選択部６２は、第５モードＥで発生する前輪３のブレーキ力と、通常ブレーキ制御モードで発生する前輪３のブレーキ力とを比較する。第５モードＥで発生する前輪３のブレーキ力が通常ブレーキ制御モードで発生する前輪３のブレーキ力以上の場合、モード選択部６２は、第５モードＥを選択したまま、ステップＳ３７へ進む。これに対して、第５モードＥで発生する前輪３のブレーキ力が通常ブレーキ制御モードで発生する前輪３のブレーキ力よりも小さい場合、モード選択部６２は、ブレーキの制御モードを通常ブレーキ制御モードに変更し、ステップＳ３９に進む。
【００９４】
ステップＳ３７は、モード選択ステップで選択されたモードに基づいて、前輪３に発生するブレーキ力及び後輪４に発生するブレーキ力を制御する制御ステップである。すなわち、ステップＳ３７は、第３モードＣ及び第５モードＥに基づいて、前輪３に発生するブレーキ力及び後輪４に発生するブレーキ力を制御する制御ステップである。詳しくは、ステップＳ３７では、制御部６３は、リアブレーキ操作部１３の入力量に応じて、第５モードＥにおいて該入力量の際に前輪３に発生するブレーキ力となるように、前輪制動機構１２の込め弁３１、弛め弁３２、第１弁３５、第２弁３６及びポンプ３４を制御する。また、制御部６３は、リアブレーキ操作部１３の入力量に応じて、第３モードＣにおいて該入力量の際に後輪４に発生するブレーキ力となるように、後輪制動機構１４の込め弁３１、弛め弁３２、第１弁３５、及び第２弁３６を制御する。ステップＳ３７に対し、ステップＳ３９では、通常ブレーキ制御モードで前輪３に発生するブレーキ力及び後輪４に発生するブレーキ力を制御する。この制御は、図１２のステップＳ９と同じであるので、説明を省略する。
【００９５】
ステップＳ３２からステップＳ３４に進んで第６モードＦが選択された場合、モード選択部６２は、ステップＳ３６へ進む。ステップＳ３６において、モード選択部６２は、リアブレーキ操作部１３への入力量から、第６モードＦにおいて当該入力量で発生する前輪３のブレーキ力を求める。また、モード選択部６２は、フロントブレーキ操作部１１への入力量から、通常ブレーキ制御モードにおいて当該入力量で発生する前輪３のブレーキ力を求める。そして、モード選択部６２は、第６モードＦで発生する前輪３のブレーキ力と、通常ブレーキ制御モードで発生する前輪３のブレーキ力とを比較する。第６モードＦで発生する前輪３のブレーキ力が通常ブレーキ制御モードで発生する前輪３のブレーキ力以上の場合、モード選択部６２は、第６モードＦを選択したまま、ステップＳ３８へ進む。一方、第６モードＦで発生する前輪３のブレーキ力が通常ブレーキ制御モードで発生する前輪３のブレーキ力よりも小さい場合、モード選択部６２は、ブレーキの制御モードを通常ブレーキ制御モードに変更し、ステップＳ３９に進む。
【００９６】
ステップＳ３８は、モード選択ステップで選択されたモードに基づいて、前輪３に発生するブレーキ力及び後輪４に発生するブレーキ力を制御する制御ステップである。すなわち、ステップＳ３８は、第３モードＣ及び第６モードＦに基づいて、前輪３に発生するブレーキ力及び後輪４に発生するブレーキ力を制御する制御ステップである。詳しくは、ステップＳ３８では、制御部６３は、リアブレーキ操作部１３の入力量に応じて、第６モードＦにおいて該入力量の際に前輪３に発生するブレーキ力となるように、前輪制動機構１２の込め弁３１、弛め弁３２、第１弁３５、第２弁３６及びポンプ３４を制御する。また、制御部６３は、リアブレーキ操作部１３の入力量に応じて、第３モードＣにおいて該入力量の際に後輪４に発生するブレーキ力となるように、後輪制動機構１４の込め弁３１、弛め弁３２、第１弁３５、及び第２弁３６を制御する。
【００９７】
一方、ステップＳ４１で第４モードＤが選択された後のステップＳ４２、ステップＳ４３及びステップＳ４４もまた、前述したステップＳ３２、ステップＳ３３及びステップＳ３４と同様に、第５モードＥ又は第６モードＦを選択するモード選択ステップである。これらのモード選択ステップでは、前輪３の摩擦制動機構２９の温度が第３規定温度よりも低い場合、モード選択部６２は、ステップＳ４３に進んで第５モードＥを選択する。また、前輪３の摩擦制動機構２９の温度が第３規定温度よりも高い場合、モード選択部６２は、ステップＳ４４に進んで第６モードＦを選択する。なお、前輪３の摩擦制動機構２９の温度が第３規定温度と同じ場合、ステップＳ４３に進んでもよいし、ステップＳ４４に進んでもよい。
【００９８】
ステップＳ４２からステップＳ４３に進んで第５モードＥが選択された場合、モード選択部６２は、ステップＳ４５へ進む。ステップＳ４５において、モード選択部６２は、ステップＳ３５と同様に、第５モードＥで発生する前輪３のブレーキ力と、通常ブレーキ制御モードで発生する前輪３のブレーキ力とを比較する。第５モードＥで発生する前輪３のブレーキ力が通常ブレーキ制御モードで発生する前輪３のブレーキ力以上の場合、モード選択部６２は、第５モードＥを選択したまま、ステップＳ４７へ進む。これに対して、第５モードＥで発生する前輪３のブレーキ力が通常ブレーキ制御モードで発生する前輪３のブレーキ力よりも小さい場合、モード選択部６２は、ブレーキの制御モードを通常ブレーキ制御モードに変更し、ステップＳ４９に進む。
【００９９】
ステップＳ４７は、モード選択ステップで選択されたモードに基づいて、前輪３に発生するブレーキ力及び後輪４に発生するブレーキ力を制御する制御ステップである。すなわち、ステップＳ４７は、第４モードＤ及び第５モードＥに基づいて、前輪３に発生するブレーキ力及び後輪４に発生するブレーキ力を制御する制御ステップである。詳しくは、ステップＳ４７では、制御部６３は、リアブレーキ操作部１３の入力量に応じて、第５モードＥにおいて該入力量の際に前輪３に発生するブレーキ力となるように、前輪制動機構１２の込め弁３１、弛め弁３２、第１弁３５、第２弁３６及びポンプ３４を制御する。また、制御部６３は、リアブレーキ操作部１３の入力量に応じて、第４モードＤにおいて該入力量の際に後輪４に発生するブレーキ力となるように、後輪制動機構１４の込め弁３１、弛め弁３２、第１弁３５、及び第２弁３６を制御する。ステップＳ４７に対し、ステップＳ４９では、通常ブレーキ制御モードで前輪３に発生するブレーキ力及び後輪４に発生するブレーキ力を制御する。
【０１００】
ステップＳ４２からステップＳ４４に進んで第６モードＦが選択された場合、モード選択部６２は、ステップＳ４６へ進む。ステップＳ４６において、モード選択部６２は、ステップＳ３６と同様に、第６モードＦで発生する前輪３のブレーキ力と、通常ブレーキ制御モードで発生する前輪３のブレーキ力とを比較する。第６モードＦで発生する前輪３のブレーキ力が通常ブレーキ制御モードで発生する前輪３のブレーキ力以上の場合、モード選択部６２は、第６モードＦを選択したまま、ステップＳ４８へ進む。一方、第６モードＦで発生する前輪３のブレーキ力が通常ブレーキ制御モードで発生する前輪３のブレーキ力よりも小さい場合、モード選択部６２は、ブレーキの制御モードを通常ブレーキ制御モードに変更し、ステップＳ４９に進む。
【０１０１】
ステップＳ４８は、モード選択ステップで選択されたモードに基づいて、前輪３に発生するブレーキ力及び後輪４に発生するブレーキ力を制御する制御ステップである。すなわち、ステップＳ４８は、第４モードＤ及び第６モードＦに基づいて、前輪３に発生するブレーキ力及び後輪４に発生するブレーキ力を制御する制御ステップである。詳しくは、ステップＳ４８では、制御部６３は、リアブレーキ操作部１３の入力量に応じて、第６モードＦにおいて該入力量の際に前輪３に発生するブレーキ力となるように、前輪制動機構１２の込め弁３１、弛め弁３２、第１弁３５、第２弁３６及びポンプ３４を制御する。また、制御部６３は、リアブレーキ操作部１３の入力量に応じて、第４モードＤにおいて該入力量の際に後輪４に発生するブレーキ力となるように、後輪制動機構１４の込め弁３１、弛め弁３２、第１弁３５、及び第２弁３６を制御する。
【０１０２】
ステップＳ３７、ステップＳ３８、ステップＳ３９、ステップＳ４７、ステップＳ４８又はステップＳ４９の後、制御装置６０は、ステップＳ５０に進む。そして、ステップＳ５０において制御装置６０は、リアブレーキ操作部１３の操作が解除されているか否かを判定する。リアブレーキ操作部１３の操作が解除されていない場合、つまりリアブレーキ操作部１３が操作されたままの状態となっている場合、制御装置６０は、ステップＳ２２に戻る。また、リアブレーキ操作部１３の操作が解除されている場合、制御装置６０は、ステップＳ５１に進んで、前輪３及び後輪４にブレーキ力を発生させる制御を終了する。
【０１０３】
なお、図１３では、第２連動ブレーキ制御時、モード選択部６２は、第３モードＣ又は第４モードＤの選択を行い、第５モードＥ又は第６モードＦの選択も行っている。しかしながら、これはあくまでも一例である。例えば、後輪４の摩擦制動機構２９の温度上昇の抑制のみを図ればよい場合、第２連動ブレーキ制御時、モード選択部６２は、第３モードＣ又は第４モードＤの選択を行い、第５モードＥ又は第６モードＦの選択を行わなくてもよい。また例えば、前輪３の摩擦制動機構２９の温度上昇の抑制のみを図ればよい場合、第２連動ブレーキ制御時、モード選択部６２は、第５モードＥ又は第６モードＦの選択を行い、第３モードＣ又は第４モードＤの選択を行わなくてもよい。
【０１０４】
以上、実施の形態について説明したが、本発明は実施の形態の説明に限定されない。例えば、実施の形態の一部のみが実施されてもよく、また、各ステップの順序が入れ替えられてもよい。
【符号の説明】
【０１０５】
１  胴体、２  ハンドル、３  前輪、３ａ  ロータ、４  後輪、４ａ  ロータ、１０  ブレーキシステム、１１  フロントブレーキ操作部、１２  前輪制動機構、１３  リアブレーキ操作部、１４  後輪制動機構、２１  マスタシリンダ、２２  リザーバ、２３  ブレーキキャリパ、２４  ホイールシリンダ、２５  ブレーキパッド、２６  主流路、２７  副流路、２８  供給流路、２９  摩擦制動機構、３１  込め弁、３２  弛め弁、３３  アキュムレータ、３４  ポンプ、３５  第１弁、３６  第２弁、４１  マスタシリンダ圧センサ、４２  ホイールシリンダ圧センサ、４３  前輪回転速度センサ、４４  後輪回転速度センサ、５０  液圧制御ユニット、５１  基体、６０  制御装置、６１  温度取得部、６２  モード選択部、６３  制御部、１００  モータサイクル、Ａ  第１モード、Ｂ  第２モード、Ｃ  第３モード、Ｄ  第４モード、Ｅ  第５モード、Ｆ  第６モード。
【図１】
2019098903.tif 000003
【図２】
2019098903.tif 000004
【図３】
2019098903.tif 000005
【図４】
2019098903.tif 000006
【図５】
2019098903.tif 000007
【図６】
2019098903.tif 000008
【図７】
2019098903.tif 000009
【図８】
2019098903.tif 000010
【図９】
2019098903.tif 000011
【図１０】
2019098903.tif 000012
【図１１】
2019098903.tif 000013
【図１２】
2019098903.tif 000014
【図１３】
2019098903.tif 000015